(57)【要約】【課題】  軽量かつ簡単な構造で、電柱上での作業性を高め、安定性が高く、装柱部材に左右されずに確実に電柱に取り付けることができる電柱用簡易作業足場を提供する。【解決手段】  電柱Ｐから突設した第１の足場ボルト１６に係合する第１の取付部材３と、電柱Ｐから突設した第２の足場ボルト１７に係合する第２の取付部材４と、電柱Ｐに対して根元部を当接させて突設される足場部材２とを有する電柱用簡易作業足場１であって、足場部材２の根元部には当接板２１が備わり、第１の足場ボルト１６に第１の係合部材７を係合し、ベルト６を電柱Ｐに対して水平方向に半周沿わせ、通し孔１１，１２にベルト６を通してバックル５で固定した状態で、足場部材２が第１の足場ボルト１６の略軸線方向に配設され、第２の足場ボルト１７に第２の係合部材９を係合し、第２の取付部材４により足場部材２の先端部を支持する。【選択図】        図１
2008297841.tif 000002
【特許請求の範囲】
【請求項１】
電柱から突設した第１の足場ボルトに係合する第１の取付部材と、
前記電柱に対して、前記第１の足場ボルトの反対側であって上部に突設した第２の足場ボルトに係合する第２の取付部材と、
前記第１の取付部材及び前記第２の取付部材と接続され、前記電柱に対して根元部を当接させて略水平に突設される足場部材とを有する電柱用簡易作業足場であって、
前記第１の取付部材は、端部にバックルを備えたベルトであって、前記第１の足場ボルトに直接係合する第１の係合部材を備え、
前記第２の取付部材は、前記第２の足場ボルトに直接係合する第２の係合部材を備え、前記足場部材の前記根元部と反対側の端部である先端部に接続され、
前記足場部材は、前記ベルトの通し孔を備え、
前記根元部の前記電柱との当接部分には、前記電柱の形状に略沿った形状の当接部が形成され、
前記第１の足場ボルトに前記第１の係合部材を係合し、前記ベルトを前記電柱に対して水平方向に半周沿わせ、前記通し孔に前記ベルトを通し、再び前記電柱の前記ベルトを半周沿わせた側に当該ベルトを沿わせて前記バックルで固定した状態で、前記足場部材が前記第１の足場ボルトの略軸線方向に配設され、
前記第２の足場ボルトに前記第２の係合部材を係合し、前記第２の取付部材により前記足場部材の前記先端部が支持されることを特徴とする電柱用簡易作業足場。
【請求項２】
前記第２の取付部材は、その端部が、前記足場部材の前記先端部に回動可能に取り付けられる連結金具と、当該連結金具の他方の端部に取り付けられ、前記第２の係合部材を備えた垂下ベルト材とからなり、
前記第２の足場ボルトに前記第２の係合部材を係合し、前記足場部材を前記電柱に配設した状態において、前記垂下ベルト材は鉛直方向に緊張し、前記垂下ベルト材が前記足場部材の長手方向略中央の上方に位置することを特徴とする請求項１に記載の電柱用簡易作業足場。
【請求項３】
前記第２の係合部材に、前記垂下ベルト材が前記足場部材の長手方向略中央の上方に位置するように、前記第２の足場ボルトの根元に当接するスペーサが備わることを特徴とする請求項１又は２に記載の電柱用簡易作業足場。
【請求項４】
前記通し孔は、前記足場部材の下側両端に備わり、前記足場部材を前記電柱に取り付けた状態において、前記ベルトは前記足場部材の前記電柱側の通し孔に通され、前記電柱から遠い側の通し孔を通されて、再び前記電柱側の通し孔を通されて前記バックルにより固定されることを特徴とする請求項１〜３のいずれかに記載の電柱用簡易作業足場。
【請求項５】
前記足場部材の当接部は、前記足場部材の根元部に前記電柱の形状に略沿った形状の当接板の中央部を固定し、前記足場部材の根元部から前記当接板が左右に張り出した構成とすることを特徴とする請求項１〜４のいずれかに記載の電柱用簡易作業足場。
【発明の詳細な説明】
【技術分野】
【０００１】
この発明は、電柱で作業する作業者の足場となる電柱用簡易作業足場に関するものである。
【背景技術】
【０００２】
電柱の左右には、足場ボルトが突出して設けられている。この足場ボルトは、作業者が電柱を昇降しやすいように、左右の足場ボルトは上下方向に互い違いに形成されている。しかし、電柱上で作業する場合、このように左右の足場ボルトに段差があると、作業者は常にその段差に合わせて片方の足を折り曲げ、他方の足を伸ばして無理な姿勢で作業することになり、作業性が悪いものである。
【０００３】
したがって、作業中は左右両方の足場が水平であることが望ましい。作業中に簡易足場を設け、作業者の足場を水平とするための電力柱用携帯簡易足場が特許文献１に記載されている。この電力柱用携帯簡易足場は、角形状の本体の上下に備わるフックと、足場と、電柱に固定するためのバンドで構成され、不自然な姿勢での作業を不要とするものである。
【０００４】
【特許文献１】実開平５−１０６４２号公報
【発明の開示】
【発明が解決しようとする課題】
【０００５】
しかし、特許文献１に記載の電力柱用携帯簡易足場は、まず電柱片側の上下の足場ボルトにフックを介して本体を取り付け、その後バンドを電柱の片側から反対側に手を回して巻きつける必要がある。すなわち、バンドは電柱を１周する。電柱には、地面から電柱に沿った立ち上がりケーブル等の装柱部材が備わるため、これらが障害となってバンドを確実に電柱に巻きつけて固定することが困難である。
【０００６】
また、取り付けられた足場はいわゆる片持ちの状態であるため、不安定であり、作業者の重量に耐えうるだけの強度及び構造が必要となる。したがって、このような機械的強度を得るための材質で足場と本体の連結構造を形成する必要があるので、重量が重くなり、持ち運びに不便である。また、足場が片側でのみ支持され、下側のフックが足場ボルトの一部分のみで支持されることは、作業者にとって不安な要素となる。
【０００７】
本発明は上記従来技術を考慮したものであって、軽量かつ簡単な構造で、電柱上での作業性を高め、安定性が高く、装柱部材に左右されずに確実に電柱に取り付けることができる電柱用簡易作業足場の提供を目的とするものである。
【課題を解決するための手段】
【０００８】
前記目的を達成するため、請求項１の発明では、電柱から突設した第１の足場ボルトに係合する第１の取付部材と、前記電柱に対して、前記第１の足場ボルトの反対側であって上部に突設した第２の足場ボルトに係合する第２の取付部材と、前記第１の取付部材及び前記第２の取付部材と接続され、前記電柱に対して根元部を当接させて略水平に突設される足場部材とを有する電柱用簡易作業足場であって、前記第１の取付部材は、端部にバックルを備えたベルトであって、前記第１の足場ボルトに直接係合する第１の係合部材を備え、前記第２の取付部材は、前記第２の足場ボルトに直接係合する第２の係合部材を備え、前記足場部材の前記根元部と反対側の端部である先端部に接続され、前記足場部材は、前記ベルトの通し孔を備え、前記根元部の前記電柱との当接部分には、前記電柱の形状に略沿った形状の当接部が形成され、前記第１の足場ボルトに前記第１の係合部材を係合し、前記ベルトを前記電柱に対して水平方向に半周沿わせ、前記通し孔に前記ベルトを通し、再び前記電柱の前記ベルトを半周沿わせた側に当該ベルトを沿わせて前記バックルで固定した状態で、前記足場部材が前記第１の足場ボルトの略軸線方向に配設され、前記第２の足場ボルトに前記第２の係合部材を係合し、前記第２の取付部材により前記足場部材の前記先端部が支持されることを特徴とする電柱用簡易作業足場を提供する。
【０００９】
また、請求項２の発明では、前記第２の取付部材は、その端部が、前記足場部材の前記先端部に回動可能に取り付けられる連結金具と、当該連結金具の他方の端部に取り付けられ、前記第２の係合部材を備えた垂下ベルト材とからなり、前記第２の足場ボルトに前記第２の係合部材を係合し、前記足場部材を前記電柱に配設した状態において、前記垂下ベルト材は鉛直方向に緊張し、前記垂下ベルト材が前記足場部材の長手方向略中央の上方に位置することを特徴としている。
【００１０】
また、請求項３の発明では、前記第２の係合部材に、前記垂下ベルト材が前記足場部材の長手方向略中央の上方に位置するように、前記第２の足場ボルトの根元に当接するスペーサが備わることを特徴としている。
【００１１】
また、請求項４の発明では、前記通し孔は、前記足場部材の下側両端に備わり、前記足場部材を前記電柱に取り付けた状態において、前記ベルトは前記足場部材の前記電柱側の通し孔に通され、前記電柱から遠い側の通し孔を通されて、再び前記電柱側の通し孔を通されて前記バックルにより固定されることを特徴としている。
【００１２】
また、請求項５の発明では、前記足場部材の当接部は、前記足場部材の根元部に前記電柱の形状に略沿った形状の当接板の中央部を固定し、前記足場部材の根元部から前記当接板が左右に張り出した構成とすることを特徴としている。
【発明の効果】
【００１３】
請求項１の発明によれば、足場部材を電柱に取り付けた状態では、ベルトが電柱に対して半周だけ巻かれた状態であるため、地面から電柱に沿った立ち上がりケーブル等の装柱部材が備わっていても、これと反対側にベルトを取り付けることにより、装柱部材の影響を受けることなく確実に足場部材を電柱に取り付けることができる。
【００１４】
また、ベルトを第１の足場ボルトから水平方向に電柱に対して沿わすため、足場ボルトが突設する水平方向円周には、装柱部材を取り付けるための装柱バンド等が取り付けられないため、この部分を有効に利用して、ベルトを確実に電柱に沿わせ、足場部材を電柱に取り付けることができる。また、ベルトが電柱の半周だけ巻かれる、すなわち作業者から見れば電柱の片側の面だけで取り付けることができるため、作業者は両手を電柱の後ろ側に伸ばす必要がなく、電柱への装着が容易となり、取り扱い性が向上する。このとき、足場部材の根元部と電柱の当接部分には、電柱の形状に略沿った形状の当接板が介装されるので、足場部材は確実に電柱に支持される。
【００１５】
これにより、作業者は第１の足場ボルトと足場部材を用いて、両足の高さを揃えて作業することができ、作業性が向上する。このとき、足場部材は一方の端部を第１の取付部材により、他方の端部を第２の取付部材により支持されるため、安定性の高い作業足場を提供することができる。
【００１６】
請求項２の発明によれば、足場部材を電柱に取り付けた状態で、電柱に対して遠い側の端部に連結金具が回動可能に取り付けられる。この連結金具の他方の端部に、足場部材の長手方向略中央の上方に位置する垂下ベルト材が備わるため、垂下ベルト材で足場部材にかかる作業者の重量をその中央で確実に受けることができる。さらに、垂下ベルト材を足場部材の先端部からそのまま第２の足場ボルトの先端部と接続することに比べ、電柱に近接することになるため、作業がしやすくなり、作業中に他の部材を引っ掛けたりするおそれがない。また、垂下ベルト材を連結金具と接合し、連結金具は足場部材の先端部に取り付けられるので、垂下ベルト材と連結金具はその接合部分において屈曲するので、足場部材上部に空間が形成されるので、足場部材に作業者が足を乗せる際にこれらが妨げとなることはない。連結金具は回動可能であるため、これを折りたたんで持ち運びが可能であり、取り扱い性が向上する。また、電柱への取り付けに際してベルトと垂下ベルト材が用いられるため、材質が軽量となり、さらに持ち運びの便がよく、取り扱い性が向上する。
【００１７】
請求項３の発明によれば、垂下ベルト材が足場部材の長手方向略中央の上方に位置するように、第２の足場ボルトの根元に当接するスペーサが備わるため、垂下ベルト材を確実に足場部材の長手方向略中央の上方に位置させることができる。また、スペーサが第２の足場ボルトの根元に当接するため、第２の係合部材の足場ボルトへの固定が確実なものとなり、荷重がかかっても第２の足場ボルトから外れるおそれがない。
【００１８】
請求項４の発明によれば、足場部材が電柱に取り付けられた状態で、ベルトが足場部材の電柱から遠い側の端部に形成された通し孔を通って折り返されるため、確実に足場部材を支えることができ、安定した作業足場を形成することができる。また、足場部材の電柱側の通し孔に往路と復路でベルトが通されるため、足場部材の根元でしっかりと電柱に固定でき、前記当接部と相俟って、足場部材を安定して支えることができる。
【００１９】
請求項５の発明によれば、足場部材の当接部は、足場部材の根元部に電柱の形状に略沿った形状の当接板の中央部を固定し、足場部材の根元部から当接板が左右に張り出した構成とされるので、当接板の張り出した部分で電柱との接触面積を広げ、足場部材を確実に支持することができる。
【発明を実施するための最良の形態】
【００２０】
この発明は、電柱から突設した第１の足場ボルトに係合する第１の取付部材と、前記電柱に対して、前記第１の足場ボルトの反対側であって上部に突設した第２の足場ボルトに係合する第２の取付部材と、前記第１の取付部材及び前記第２の取付部材と接続され、前記電柱に対して根元部を当接させて略水平に突設される足場部材とを有する電柱用簡易作業足場であって、前記第１の取付部材は、端部にバックルを備えたベルトであって、前記第１の足場ボルトに直接係合する第１の係合部材を備え、前記第２の取付部材は、前記第２の足場ボルトに直接係合する第２の係合部材を備え、前記足場部材の前記根元部と反対側の端部である先端部に接続され、前記足場部材は、前記ベルトの通し孔を備え、前記根元部の前記電柱との当接部分には、前記電柱の形状に略沿った形状の当接部が形成され、前記第１の足場ボルトに前記第１の係合部材を係合し、前記ベルトを前記電柱に対して水平方向に半周沿わせ、前記通し孔に前記ベルトを通し、再び前記電柱の前記ベルトを半周沿わせた側に当該ベルトを沿わせて前記バックルで固定した状態で、前記足場部材が前記第１の足場ボルトの略軸線方向に配設され、前記第２の足場ボルトに前記第２の係合部材を係合し、前記第２の取付部材により前記足場部材の前記先端部が支持され、軽量かつ簡単な構造で、電柱上での作業性を高め、安定性が高く、装柱部材に左右されずに確実に電柱に取り付けることができる電柱用簡易作業足場である。
【実施例】
【００２１】
図１はこの発明に係る電柱用簡易作業足場を電柱に取り付けた状態の側面図であり、図２は図１のＡ−Ａ断面図である。また、図３は図１のＢ−Ｂ矢視図である。なお、図３では電柱は省略している。
【００２２】
図示したように、この発明に係る電柱用簡易作業足場１は、足場部材２と、第１の取付部材３と、第２の取付部材４で構成される。第１の取付部材３は、端部にバックル５を備えたベルト６と、このベルト６に通された環状の第１の係合部材７で構成される。第２の取付部材４は、連結金具８と、環状の第２の係合部材９を両端に備えた垂下ベルト材１０で構成される。足場部材２は、逆向きチャネル部材からなる足載せ部材１５と、この両端下側に溶着されるコ字状部材１３，１４で構成される。このコ字状部材１３，１４と足載せ部材１５により、ベルト６を通すための通し孔１１，１２が形成される。また、足載せ部材１５の一端には電柱Ｐへの当接板２１が取り付けられている。
【００２３】
足場部材２がその根元部の当接板２１を電柱に当てられて、電柱Ｐに取り付けられた状態において、第２の係合部材９に備わるスペーサ１８はその上部に穿った孔に電柱Ｐから突設した第２の足場ボルト１７を通して当該足場ボルト１７の根元に当接し、第２の係合部材９は第２の足場ボルト１７に通されて係合される。この係合部材９は、垂下ベルト材１０及び連結金具８を介して足場部材２の電柱Ｐに対して遠い側の端部と連結される。このため、足場部材２は第２の足場ボルト１７に対して第２の取付部材４により固定支持される。
【００２４】
このとき、垂下ベルト材１０は、鉛直方向に緊張し、足場部材２の長手方向略中央の上方に位置するため、垂下ベルト材１０で足場部材２にかかる作業者の重量をその中央で確実に受けることができる。この位置合わせは、スペーサ１８により容易にかつ確実に行うことができる。連結金具８の基部は足場部材２の先端部に取り付けられ、一端上方へ伸びてその後、電柱Ｐ側へ折り曲げた屈曲部を設けているので、足場部材２に作業者が足を乗せる際にこれが妨げとなることはない。連結金具８は足場部材２に対してピン８ａにより回動可能に取り付けられるため、これを折りたたんで電柱用簡易作業足場１の持ち運びが可能となり、取り扱い性が向上する。
【００２５】
また、足場部材２が電柱Ｐに取り付けられた状態において、第１の係合部材７は第１の足場ボルト１６に通されて係合される。これとともに、ベルト６が電柱Ｐに対して水平方向に半周沿わされて、足場部材２の通し孔１１，１２を通されて、再び電柱Ｐに沿わせてバックル５で固定される。これにより、足場部材２は第１の足場ボルト１６の略軸方向で水平となる。
【００２６】
このとき、ベルト６は、電柱Ｐに対して半周沿わされた後、まず通し孔１１を通り、次に通し孔１２を通って折り返されて再び通し孔１１を通る。このため、確実に足場部材２を支えることができ、安定した作業足場を形成することができる。また、足場部材２の電柱Ｐ側の通し孔１１に往路と復路でベルトが通されるため、前記当接板２１と相俟って、足場部材２の根元でしっかりと電柱Ｐに固定でき、足場部材２を安定して支えることができる。
【００２７】
また、足場部材２を電柱Ｐに取り付けた状態では、ベルト６が電柱Ｐに対して半周だけ巻かれた状態であるため、地面から電柱Ｐに沿った立ち上がりケーブル等の装柱部材が備わっていても、これと反対側にベルト６を取り付けることにより、装柱部材の影響を受けることなく確実に足場部材２を電柱に取り付けることができる。
【００２８】
また、ベルト６が電柱Ｐの半周だけ巻かれる、すなわち作業者から見れば電柱の片側の面だけで取り付けることができるため、作業者は両手を電柱Ｐの後ろ側に伸ばす必要がなく、電柱への装着が容易となり、取り扱い性が向上する。また、ベルト６を第１の足場ボルト１６から水平方向に電柱Ｐに対して沿わすため、足場ボルト１６が突設する水平方向円周には、装柱部材を取り付けるための装柱バンド等が通常は取り付けられないため、この部分を有効に利用して、ベルト６を確実に電柱Ｐに沿わせ、足場部材２を電柱に取り付けることができる。これにより、作業者は第１の足場ボルト１６と足場部材２を用いて、両足の高さを揃えて作業することができ、作業性が向上する。
【００２９】
このとき、足場部材２は一方の端部を第１の取付部材３により、他方の端部を第２の取付部材４により支持されるため、安定性の高い作業足場を提供することができる。また、電柱Ｐへの取り付けに際してベルト６と垂下ベルト材１０が用いられるため、材質が軽量となり、さらに持ち運びの便がよく、取り扱い性が向上する。
【００３０】
上述したように、第１の係合部材７及び第２の係合部材９は、環状であり、第１の足場ボルト１６及び第２の足場ボルト１７の先端のボルト頭形状を挿通できる程度の大きさの孔２２と、これと連続して形成される切欠き２３で形成される（図３の第２の係合部材９参照）。これにより、足場部材２を電柱Ｐに取り付けて第１の取付部材３及び第２の取付部材４が緊張している状態では、切欠き２３で確実に係合部材７，９を足場ボルト１６，１７に係合させることができる。
【００３１】
図４は足場部材の平面図である。
【００３２】
図示したように、足場部材２の端部（電柱Ｐに取り付けた状態の電柱Ｐ側）には屈曲した当接板２１が備わる。これにより、足場部材２は、電柱Ｐに対する当接面積が広がるため、安定して電柱Ｐに取り付けられる。なお、足場部材２が幅方向に十分広いものであれば、根元部で電柱Ｐとの接触面積が広がるため、当該箇所が当接部となり、別段の当接板２１を不要とすることもできる。２０は連結部材８をピン８ａで回動可能に取り付けるための足場部材２の先端部に立設した取付座金である。さらに、取付座金２０の一側面にはストッパー２０ａを設けてあり、これにより連結部材８が足場部材２に対して９０°以上回動しないように規制している。また、足場部材２の足載せ部材１５の上面に、滑り止め材１９が貼着される。これにより、足場部材２に作業者が足を乗せて作業する際に、足元が滑ることはなく、安心かつ安全に作業をすることができる。
【図面の簡単な説明】
【００３３】
【図１】この発明に係る電柱用簡易作業足場を電柱に取り付けた状態の側面図である。
【図２】図１のＡ−Ａ断面図である。
【図３】図１のＢ−Ｂ矢視図である。
【図４】足場部材の平面図である。
【符号の説明】
【００３４】
１：電柱用簡易作業足場、２：足場部材、３：第１の取付部材、４：第２の取付部材、５：バックル、６：ベルト、７：第１の係合部材、８：連結金具、８ａ：ピン、９：第２の係合部材、１０：垂下ベルト材、１１：通し孔、１２：通し孔、１３：コ字状部材、１４：コ字状部材、１５：足載せ部材、１６：第１の足場ボルト、１７：第２の足場ボルト、１８：スペーサ、１９：滑り止め材、２０：取付座金、２０ａ：ストッパー、２１：当接板、２２：孔、２３：切欠き
【図１】
2008297841.tif 000003
【図２】
2008297841.tif 000004
【図３】
2008297841.tif 000005
【図４】
2008297841.tif 000006